(57)【特許請求の範囲】
【請求項１】
車体のフロアパネル側に連結ベルトを介し連結される係止具と、一端側が車体側に連結され他端側が上記係止具に係脱自在とされるシートベルトと、上記係止具の不使用時における連結ベルトを収納可能とする樹脂製のベルト収納体とを備え、このベルト収納体の上面を全体的にほぼ水平に延びる平坦面とし、かつ、上記ベルト収納体に、上方に向って開口しその上方から上記連結ベルトを嵌脱自在に嵌入させて収納させる収納溝を成形した自動車用シートベルト装置におけるベルト収納装置において、
上記収納溝の開口の幅方向における一部のみを閉じるカバー体を設け、上記開口の他部の幅寸法が上記連結ベルトの幅寸法よりも小さくなるようにし、
上記カバー体を上記ベルト収納体に一体成形し、
上下方向で、上記カバー体と対面する上記ベルト収納体の部分のほぼ全体に、上下に貫通する切り欠きを成形した自動車用シートベルト装置におけるベルト収納装置。
【発明の詳細な説明】
【０００１】
【発明が属する技術分野】
本発明は、自動車用シートベルト装置を構成する係止具用の連結ベルトを収納可能とするベルト収納装置に関するものである。
【０００２】
【従来の技術】
上記自動車用シートベルト装置には、従来、次のように構成されたものがある。
【０００３】
即ち、上記シートベルト装置が、車体のフロアパネル側に連結ベルトを介し連結される係止具と、一端側が車体側に連結され他端側がシート上の着座者を拘束するよう延出してその他端側が上記係止具に係脱自在とされるシートベルトと、上記係止具の不使用時における連結ベルトを収納可能とする樹脂製のベルト収納体とを備えている。
【０００４】
上記ベルト収納体の上面は全体的にほぼ水平に延びる平坦面とされ、かつ、上記ベルト収納体に、上方に向って開口しその上方から上記連結ベルトを嵌脱自在に嵌入させて収納させる収納溝が成形されている。
【０００５】
上記シートベルトの不使用時であって、上記係止具の不使用時に、上記連結ベルトを上記ベルト収納体の収納溝に収納させると、上記ベルト収納体のほぼ平坦な上面が、このベルト収納体の周りのフロアパネルと協同して荷物の載置面として利用できることとされている。
【０００６】
【発明が解決しようとする課題】
ところで、上記したように、ベルト収納体の収納溝に連結ベルトを収納させたとき、この連結ベルトの一部がその曲りぐせなどにより、上記収納溝から上方に突出することがあり、これが生じると、上記ベルト収納体の上面に荷物を載置させようとするとき、上記のように突出した連結ベルトの一部が邪魔になって、この荷物の円滑な載置が阻害されるおそれを生じる。
【０００７】
そこで、上記収納溝から連結ベルトの一部が突出しないようこの連結ベルトをその上方から覆うカバー体を設けることが考えられるが、単に、このようにすると、上記ベルト収納装置の構成が複雑になり、かつ、その成形が煩雑になるおそれを生じる。
【０００８】
本発明は、上記のような事情に注目してなされたもので、シートベルト装置における係止具用の連結ベルトをベルト収納体の収納溝に収納させた場合に、上記ベルト収納体の上面への荷物の載置が円滑にできるようにして、この荷物の載置の作業性が良好に保たれるようにすることを課題とする。
【０００９】
また、上記のようにした場合でも、上記ベルト収納装置の構成が複雑にならないようにし、かつ、その成形が容易にできるようにすることを課題とする。
【００１０】
【課題を解決するための手段】
上記課題を解決するための本発明の自動車用シートベルト装置におけるベルト収納装置は、車体１のフロアパネル２側に連結ベルト１１を介し連結される係止具１２と、一端側が車体１側に連結され他端側が上記係止具１２に係脱自在とされるシートベルト１４と、上記係止具１２の不使用時における連結ベルト１１を収納可能とする樹脂製のベルト収納体１７とを備え、このベルト収納体１７の上面１９を全体的にほぼ水平に延びる平坦面とし、かつ、上記ベルト収納体１７に、上方に向って開口しその上方から上記連結ベルト１１を嵌脱自在に嵌入させて収納させる収納溝２０を成形した自動車用シートベルト装置におけるベルト収納装置において、
【００１１】
上記収納溝２０の開口２１の幅方向における一部２１ａのみを閉じるカバー体２２を設け、上記開口２１の他部２１ｂの幅寸法Ｗ１が上記連結ベルト１１の幅寸法Ｗ２よりも小さくなるようにし、
【００１２】
上記カバー体２２を上記ベルト収納体１７に一体成形し、
【００１３】
上下方向で、上記カバー体２２と対面する上記ベルト収納体１７の部分のほぼ全体に、上下に貫通する切り欠き２７を成形したものである。
【００１４】
【発明の実施の形態】
以下、本発明の実施の形態を図面により説明する。
【００１５】
図１〜４において、符号１は自動車の車体で、矢印Ｆｒはその前方を示している。
【００１６】
上記車体１は板金製のフロアパネル２を備え、このフロアパネル２の上方が車室３とされている。この車室３に不図示の左右一対のシートが設けられると共に、これら各シートは上記フロアパネル２に突設されたストライカ４と、上記各シートに設けられて上記ストライカ４に係脱自在に係止される係止具５等によって、上記フロアパネル２上に強固に支持されている。
【００１７】
上記各シートに対しそれぞれシートベルト装置８が設けられ、これら各シートベルト装置８は左右対称形とされている。
【００１８】
上記各シートベルト装置８は、車体１の幅方向における上記左右シートのほぼ中央部で、上記フロアパネル２に締結具９によって締結されるアンカー部材１０と、このアンカー部材１０に連結ベルト１１を介し連結される係止具１２と、一端側が車体１側に連結され他端側が上記シート上の着座者をこのシート上に拘束するよう延出してその他端側を構成する被係止具１３が上記係止具１２に係脱自在とされるシートベルト１４とを備えている。上記各シートベルト装置８の各アンカー部材１０は互いに一体成形されている。
【００１９】
なお、上記シートベルト１４の一端側はシートを介し車体１に連結されていてもよく、車体１に直接連結されていてもよい。また、上記シートベルト１４の他端側はこのシートベルト１４の長手方向の中途部であってもよい。
【００２０】
また、上記各シートベルト装置８は、この係止具１２とシートベルト１４の不使用時において、上記連結ベルト１１を収納可能とするベルト収納装置１６を備えている。
【００２１】
上記各ベルト収納装置１６は、上記フロアパネル２に締結具１８により締結される樹脂製のベルト収納体１７を備え、上記各ベルト収納装置１６のベルト収納体１７は互いに一体成形されている。これら両ベルト収納体１７の上面１９は全体的にほぼ水平に延びる平坦面とされている。上記両ベルト収納体１７の後部で、車体１の幅方向における中央部（両ベルト収納体１７の結合部）には上方に向って開く収納溝２０が成形されている。この収納溝２０に上記左右連結ベルト１１，１１が嵌脱自在に嵌入させられ、これら各連結ベルト１１は上記アンカー部材１０から互いにほぼ平行となるようそれぞれ後方に長く延び、かつ、左右に並設された状態で上記収納溝２０に収納させられている。
【００２２】
上記各ベルト収納装置１６は、上記収納溝２０の開口２１の幅方向の一部２１ａであるほぼ中央部のみを閉じるカバー体２２を備え、このカバー体２２により、上記開口２１の各他部２１ｂの幅寸法Ｗ１が、上記各連結ベルト１１の幅寸法Ｗ２よりも小さくされている。
【００２３】
このため、上記シートベルト１４の不使用時であって、上記係止具１２の不使用時に、上記連結ベルト１１を上記ベルト収納体１７の収納溝２０に収納させたときには、上記連結ベルト１１がその曲りぐせなどにより、上記収納溝２０から上方に突出しようとしても、この突出は、上記カバー体２２によって抑制される。
【００２４】
よって、上記ベルト収納体１７の上面への荷物の載置が上記連結ベルト１１に邪魔されることなく、円滑にでき、荷物の載置の作業性が良好に保たれる。
【００２５】
一方、上記シートベルト１４の使用時で、このシートベルト１４の被係止具１３を上記係止具１２に係止させようとするときには、上記連結ベルト１１をその幅方向で縮小させるよう撓ませて、上記開口２１の他部２１ｂから上方に向けて抜き出せばよい（図２，３中一点鎖線）。
【００２６】
上記カバー体２２は樹脂製でその後端部が自由端となるよう前端部が上記ベルト収納体１７に一体成形されている。
【００２７】
このため、前記したように、ベルト収納体１７上への荷物の載置の作業性を良好に保つためにカバー体２２を設けたが、これら１７，２２は一体成形されることから、ベルト収納装置１６の部品点数の増加が抑制されて、その構成が複雑になることが防止される。
【００２８】
また、上記カバー体２２の上面２３は上記ベルト収納体１７の上面１９とほぼ面一とされている。このため、上記したようにカバー体２２を設けても、ベルト収納体１７への荷物の載置の作業性は良好に保たれる。
【００２９】
上記ベルト収納体１７の左右各側部には、開口２５が形成され、これら各開口２５と前記各ストライカ４とが嵌合している。
【００３０】
図２，４，５において、上下方向で、上記カバー体２２と対面する上記ベルト収納体１７の部分のほぼ全体に、上下に貫通する切り欠き２７が成形されている。なお、この切り欠き２７は穴形状であってもよい。
【００３１】
このため、図５で示すように、上記ベルト収納装置１６はベルト収納体１７とカバー体２２とを備えるものであるが、このベルト収納装置１６は、水平方向等への抜き金型を不要として上、下一対の金型２９，３０による射出成形が可能となり、このベルト収納装置１６の樹脂成形は容易にできる。
【００３２】
【発明の効果】
本発明によれば、車体のフロアパネル側に連結ベルトを介し連結される係止具と、一端側が車体側に連結され他端側が上記係止具に係脱自在とされるシートベルトと、上記係止具の不使用時における連結ベルトを収納可能とする樹脂製のベルト収納体とを備え、このベルト収納体の上面を全体的にほぼ水平に延びる平坦面とし、かつ、上記ベルト収納体に、上方に向って開口しその上方から上記連結ベルトを嵌脱自在に嵌入させて収納させる収納溝を成形した自動車用シートベルト装置におけるベルト収納装置において、
【００３３】
上記収納溝の開口の幅方向における一部のみを閉じるカバー体を設け、上記開口の他部の幅寸法が上記連結ベルトの幅寸法よりも小さくなるようにしてある。
【００３４】
このため、上記シートベルトの不使用時であって、上記係止具の不使用時に、上記連結ベルトを上記ベルト収納体の収納溝に収納させたときには、上記連結ベルトがその曲りぐせなどにより、上記収納溝から上方に突出しようとしても、この突出は、上記カバー体によって抑制される。
【００３５】
よって、上記ベルト収納体の上面への荷物の載置が上記連結ベルトに邪魔されることなく、円滑にでき、荷物の載置の作業性が良好に保たれる。
【００３６】
また、上記カバー体を上記ベルト収納体に一体成形してある。
【００３７】
このため、前記したように、ベルト収納体上への荷物の載置の作業性を良好に保つためにカバー体を設けたが、これらは一体成形されることから、ベルト収納装置の部品点数の増加が抑制されて、その構成が複雑になることが防止される。
【００３８】
更に、上下方向で、上記カバー体と対面する上記ベルト収納体の部分のほぼ全体に、上下に貫通する切り欠きを成形してある。
【００３９】
このため、上記ベルト収納装置はベルト収納体とカバー体とを備えるものであるが、このベルト収納装置は、抜き金型を不要として上、下一対の金型による射出成形が可能となり、このベルト収納装置の樹脂成形は容易にできる。
【図面の簡単な説明】
【図１】ベルト収納装置の全体平面図である。
【図２】図１の２‐２線矢視断面図である。
【図３】図１の３‐３線矢視断面図である。
【図４】ベルト収納装置の斜視図である。
【図５】ベルト収納装置の樹脂成形状態を示す図である。
【符号の説明】
１      車体
２      フロアパネル
３      車室
８      シートベルト装置
１０    アンカー部材
１１    連結ベルト
１２    係止具
１４    シートベルト
１６    ベルト収納装置
１７    ベルト収納体
１９    上面
２０    収納溝
２１    開口
２１ａ  一部
２１ｂ  他部
２２    カバー体
２３    上面
２７    切り欠き
Ｗ１，Ｗ２  幅寸法
【図１】
0003649965.tif 000002
【図２】
0003649965.tif 000003
【図３】
0003649965.tif 000004
【図４】
0003649965.tif 000005
【図５】
0003649965.tif 000006